(57)【要約】  本発明は、バスバーホルダであって、下面でベース上に組み付け可能な下方部分（２）が設けられており、該下方部分の上面には、長手方向で互いに間隔をおいて配置された、横方向で延びるバスバーを絶縁挿入するために形成された複数のバスバー収容部（２．３）が設けられており、該バスバー収容部を閉鎖し、挿入されたバスバーを固定する取り外し可能な上方部分（１）が設けられている形式のものに関する。種々様々な横断面のバスバーへの多様な適合性は、簡単な構成及び取り扱い性のもとで、下面から上面に延びる厚さ方向でバスバー収容部（２．３）を制限するために別個のスライダ（３）が設けられていて、挿入されたバスバーの長手方向に対して横方向に延びる幅方向でバスバー収容部（２．３）を制限するために支承挿入体（４）が設けられており、バスバーホルダの、バスバー収容部（２．３）を取り囲む領域にガイド構造体（２．２，２．４）が設けられており、該ガイド構造体にスライダ（３）と支承挿入体（４）とが調節可能に支承されていることにより得られる。
2007527690.tif 000002
【特許請求の範囲】
【請求項１】
バスバーホルダであって、下面でベース上に組み付け可能な下方部分（２）が設けられており、該下方部分の上面には、長手方向で互いに間隔をおいて配置された、横方向で延びるバスバーを絶縁挿入するために形成された複数のバスバー収容部（２．３）が設けられており、該バスバー収容部を閉鎖し、挿入されたバスバーを固定する取り外し可能な上方部分（１）が設けられている形式のものにおいて、
下面から上面に延びる厚さ方向でバスバー収容部（２．３）を制限するために別個のスライダ（３）が設けられていて、挿入されたバスバーの長手方向に対して横方向に延びる幅方向でバスバー収容部（２．３）を制限するために支承挿入体（４）が設けられており、
バスバーホルダの、バスバー収容部（２．３）を取り囲む領域にガイド構造体（２．２，２．４）が設けられており、該ガイド構造体にスライダ（３）と支承挿入体（４）とが調節可能に支承されていることを特徴とするバスバーホルダ。
【請求項２】
バスバー収容部（２．３）が下方部分（２）の縦断面において、方形の形状を有していて、上面で開かれており、スライダ（３）は制限位置で、バスバー収容部（２．３）の下面に載置されており、支承挿入体（４）は制限位置で、バスバー収容部（２．３）の側面に当接している、請求項１記載のバスバーホルダ。
【請求項３】
スライダ（３）がＵ字形に形成されており、スライダ（３）のためのガイド構造体が、バスバー収容部（２．３）の側面から、下方部分（２）の側方の両外面へと、バスバー収容部（２．３）の底面に平行に延びるガイド溝（２．２）として形成されており、該ガイド溝には側方の脚（３．１）がガイドされており、Ｕ字ウェブは、引き出された位置では、下面で、バスバー収容部（２．３）の底面上に載置されている、請求項１又は２記載のバスバーホルダ。
【請求項４】
ばね弾性的に形成された側方脚（３．１）の内面には、スナップインエレメント（３．２）が設けられており、ガイド溝（２．２）には、スナップインエレメントに適合するそれぞれ少なくとも１つの対応スナップインエレメント（２．２１）が形成されており、これらの対応スナップインエレメント（２．２１）は、側方脚（３．１）が、スライダ（３）が完全に引き込まれた位置で、及び／又はスライダ（３）が完全に引き出された位置でばね弾性的にスナップインするように配置されており、ガイド溝（２．２）に隣接する、バスバー収容部（２．３）の側面には、Ｕ字ウェブに適合する横方向に延びる切欠（２．７）が設けられており、この切欠にはＵ字ウェブが、スライダ（３）が完全に引き込まれた状態で完全に進入し、これによりバスバー収容部（２．３）の深さ全体を利用することができる、請求項１から３までのいずれか１項記載のバスバーホルダ。
【請求項５】
バスバー収容部（２．３）の下側に、下方部分（２）の側方の外面壁領域の間に挿入体ガイド（２．４）が形成されており、挿入体ガイドには支承挿入体（４）がバスバー収容部（２．３）の底面に対して鉛直方向で制限するように調節可能に支承されており、支承挿入体（４）は沈められた状態で、その上面は高くともバスバー収容部（２．３）の底面までしか達しておらず、支承挿入体（４）の制限位置ではその背面でスライダ（３）とは反対側のバスバー収容部（２．３）の側面に当接しており、バスバー収容部（２．３）の内側の幅は、この側面に対して平行に規定されて間隔を置いた前面によって制限されている、請求項１から４までのいずれか１項記載のバスバーホルダ。
【請求項６】
支承挿入体（４）の前面は段付けされて形成されていて、これにより幅方向で規定されてバスバー収容部（２．３）を制限する複数の前面区分が形成されている、請求項５記載のバスバーホルダ。
【請求項７】
支承挿入体（４）が、ばね装置によって、それぞれ挿入体ガイド（２．４）で支持されており、休止状態では、外方スライド制限部にまでバスバー収容部（２．３）内へとスライドされている、請求項１から６までのいずれか１項記載のバスバーホルダ。
【請求項８】
ばね装置が圧縮ばね（５）を有しており、これら圧縮ばねは、下方部分（２）の下面の領域に解除可能に挿入された支持部分（６）に支持されている、請求項７記載のバスバーホルダ。
【請求項９】
支持部分（６）が、互いに向かい合って位置する２つの外縁部に位置固定区分（６．１）を有しており、これらの位置固定区分は、下方部分（２）の外側壁領域に設けられた前記位置固定区分に適合する位置固定部材（２．５）で係止される、請求項８記載のバスバーホルダ。
【発明の詳細な説明】
【技術分野】
【０００１】
本発明は、バスバーホルダであって、下面でベース上に組み付け可能な下方部分が設けられており、該下方部分の上面には、長手方向で互いに間隔をおいて配置された、横方向で延びるバスバーを絶縁挿入するために形成された複数のバスバー収容部が設けられており、該バスバー収容部を閉鎖し、挿入されたバスバーを固定する取り外し可能な上方部分が設けられている形式のものに関する。
【０００２】
このような形式のバスバーホルダは、ドイツ連邦共和国特許出願公開第１０３００７２３号明細書（未公開）に記載されている。この公知のバスバーシステムのバスバーホルダでは、通常のように、複数のバスバーが、その長手方向がバスバーの長手方向に対して横方向に向けられた下方部分の、上方で開かれた方形の収容部内に挿入され、その内部でねじ固定された上方部分によって固定される。下方部分はその下面でベース上に組み付けられている。種々様々な幅と厚さのバスバーがこのように固定される場合、相応に適合された複数のバスバー収容部を有したバスバーホルダを使用しなくてはならない。
【０００３】
本発明の課題は、冒頭で述べた形式のバスバーホルダであって、簡単な構成かつ簡単な取り扱い性のもとで種々異なる幅と厚さのバスバーを安定的に固定することができるものを提供することである。
【０００４】
この課題は、請求項１の特徴部により解決された。この場合、下面から上面に延びる厚さ方向でバスバー収容部を制限するために別個のスライダが設けられていて、挿入されたバスバーの長手方向に対して横方向に延びる幅方向でバスバー収容部を制限するために支承挿入体が設けられており、バスバーホルダの、バスバー収容部を取り囲む領域にガイド構造体が設けられており、該ガイド構造体にスライダと支承挿入体とが調節可能に支承されている。
【０００５】
このように支承された別個のスライダ及び支承挿入体により、安定的な支承のもとでバスバー収容部を種々異なる幅及び／又は厚さのバスバーに可変に適合させることができる。この場合、バスバーホルダのバスバー収容部には、例えば、バスバー収容部から同じホルダのバスバー収容部へと異なる幅及び厚さのバスバーを挿入することもできる。
【０００６】
簡単な取り扱い及び慣用のバスバー横断面への適合は、バスバー収容部が下方部分の縦断面において、方形の形状を有していて、上面で開かれており、スライダは制限位置で、バスバー収容部の下面に載置されており、支承挿入体は制限位置で、バスバー収容部の側面に当接していることにより得られる。
【０００７】
厚さを適合させる際の簡単な取り扱いを可能にする簡単な構成は、スライダがＵ字形に形成されており、スライダのためのガイド構造体が、バスバー収容部の側面から、下方部分の側方の両外面へと、バスバー収容部の底面に平行に延びるガイド溝として形成されており、該ガイド溝には側方の脚がガイドされており、Ｕ字ウェブは、引き出された位置では、下面で、バスバー収容部の底面上に載置されていることにある。
【０００８】
スライダの一義的な位置決めは、ばね弾性的に形成された側方脚の内面には、スナップインエレメントが設けられており、ガイド溝には、スナップインエレメントに適合するそれぞれ少なくとも１つの対応スナップインエレメントが形成されており、これらの対応スナップインエレメントは、側方脚が、スライダが完全に引き込まれた位置で、及び／又はスライダが完全に引き出された位置でばね弾性的にスナップインするように配置されており、ガイド溝に隣接する、バスバー収容部の側面には、Ｕ字ウェブに適合する横方向に延びる切欠が設けられており、この切欠にはＵ字ウェブが、スライダが完全に引き込まれた状態で完全に進入し、これによりバスバー収容部の深さ全体を利用することができることにより得られる。このような手段も、下方部分にスライダを紛失しないように支承するために役立っている。この場合、スライダは必要とあらば、付加的な力を加えながら溝内のストッパを越えて完全に取り外すことができる。このような構成では、バスバー収容部が、スライダが完全に引き込まれた状態で、その全ての厚さが利用できることが保証される。
【０００９】
種々様々なバスバー幅への簡単な適合は、バスバー収容部の下側に、下方部分の側方の外面壁領域の間に挿入体ガイドが形成されており、挿入体ガイドには支承挿入体がバスバー収容部の底面に対して鉛直方向で制限するように調節可能に支承されており、支承挿入体は沈められた状態で、その上面は高くともバスバー収容部の底面までしか達しておらず、支承挿入体の制限位置ではその背面でスライダとは反対側のバスバー収容部の側面に当接しており、バスバー収容部の内側の幅は、この側面に対して平行に規定されて間隔を置いた前面によって制限されているといった措置により簡単な取り扱いのもとで得られる。
【００１０】
支承挿入体の前面は段付けされて形成されていて、これにより幅方向で規定されてバスバー収容部を制限する複数の前面区分が形成されているならば、段部の数に応じて、即ち、これにより形成された前面区分の数に応じて、種々様々なバスバー幅への相当数の適合が得られる。別個のスライダと組み合わせて、このようにして、種々様々な横断面の多数のバスバーに厚さ方向及び幅方向で適合させることができる。
【００１１】
取り扱いはさらに、支承挿入体が、ばね装置によって、それぞれ挿入体ガイドで支持されており、休止状態では、外方スライド制限部にまでバスバー収容部内へとスライドされていることにより容易にされる。バスバーの挿入の際には、幅の広いバスバーを挿入する必要がある場合は、支承挿入体はばね力に抗して押し込まれる。
【００１２】
この場合、構成および作用形式に関して有利な構成では、ばね装置が圧縮ばねを有しており、これら圧縮ばねは、下方部分の下面の領域に解除可能に挿入された支持部分に支持されている。バスバーホルダの製造および構成のためには、さらに支持部分が、互いに向かい合って位置する２つの外縁部に位置固定区分を有しており、これらの位置固定区分は、下方部分の外側壁領域に設けられた前記位置固定区分に適合する位置固定部材で係止されると有利である。
【００１３】
次に図面につき本発明の実施例を詳しく説明する。
【００１４】
図面にはバスバーホルダが示されており、これは、ベース上に下面で組み付け可能な下方部分２を有している。この下方部分２には、下面とは反対側の上面に、複数の、この実施例では３つのバスバー収容部２．３が形成されている。このバスバー収容部２．３には特に方形の横断面のバスバーを収容可能であり、このバスバーはねじ固定または切欠固定される上方部分１によって固定される。上方部分１は固定のためにねじ貫通孔１．１を有しており、これは下方部分２に設けられたねじ収容部２．１に対応している。
【００１５】
バスバー収容部２．３の厚さ（深さ）と、下方部分２の長手方向に向けられた幅とは、種々様々な幅もしくは厚さのバスバーに適合させることができるように、装着されるスライダ３もしくはこのスライダ３とは別個の支承挿入体４によって変更可能である。スライダ３を装着するためには、バスバー収容部２．３を幅方向で制限する側壁に隣接して、バスバー収容部２．３の下面に平行に、下方部分２の両外面に横断面Ｕ字形のガイド溝２．２を設ける。このガイド溝２．２の下面は、バスバー収容部２．３の下面と同一平面に延びていて、その幅は、バスバー収容部２．３の深さ方向に向けられたスライダ３の厚さに適合されている。この場合、Ｕ字形のスライダ３の側方脚３．１はガイド溝２．２において摺動可能に案内されている。ガイド溝２．２の溝底面には、バスバー収容部２．３に向かって位置する端部領域と、バスバー収容部２．３とは反対側の端部領域に、凹部の形の保持エレメント２．２１が形成されていて、この保持エレメント２．２１には、前記スライダ３が完全に引き込まれた、もしくは引き出された位置に達した場合に、側方脚３．１の内面の端部領域に一体成形された係止突起３．２が側方脚３．１のばね作用下でスナップインする。完全に引き込まれた位置では、スライダ３のＵ字ウェブがさらに完全に、前記両ガイド溝２．２の間に、バスバー収容部２．３の所属の側面に形成された切欠２．７内に位置する。これによりこのバスバー収容部２．３は、その深さを制限されてはいない。スライダ３が引き出された状態では、スライダ３は、バスバー収容部２．３の下面に、側方脚３．１の下面とＵ字ウェブの下面とで載置され、これによりバスバー収容部２．３の深さが適当に制限され、挿入されたバスバーは安定的に下方部分２に対して支持される。側方脚３．１の外面には、つかみやすい構造体が設けられているので、側方脚３．１は扱い易く、容易に調節可能である。スライダ３が紛失しないように下方部分２のガイド溝２．２内に保持されていることも有利である。
【００１６】
バスバー収容部２．３の幅を変化させるためには、バスバーの厚さ方向もしくはバスバー収容部２．３の深さ方向で摺動可能な支承挿入体４を設ける。この支承挿入体４は、下方部分２の外側壁領域の間に配置された挿入体ガイド２．４において摺動可能に支承されている。支承挿入体４は、上方に向かって押し出された状態で位置していて、この状態では、支承挿入体４は、バスバー収容部２．３を幅方向で、収容部に面した前面で制限しており、支承挿入体４の背面は、スライダ３とは反対側のバスバー収容部２．３の側面に当接している。これにより、幅方向での安定的な支持が得られる。支承挿入体４は、バスバー収容部２．３の内側の空間に向けられた前面で、段部４．１によって形成された複数の前面区分を有している。これらの前面区分は、バスバー収容部２．３の側面に平行に延びている。このようにして、挿入体ガイド２．４から支承挿入体４が外方に摺動する距離に応じてバスバー収容部２．３を種々様々な幅にすることができる。これにより、種々異なる幅のバスバーを安定的に固定することができる。
【００１７】
下方に向かって、支承挿入体４は、それぞれ圧縮ばね５によって、下方部分２の下面領域において位置固定されている支持部分６上に支持されている。ばね５を挿入するために、プレート状の支持部分６の上面は、円筒状のばね５に適合した、一体成形された保持ピン６．２を有している。ばね５の他端部は、支承挿入体４の下面もしくは内面の領域で、適合された保持エレメントにおいて規定されて保持されている。支承挿入体４をバスバーの厚さ方向に一義的に案内するために、支承挿入体４の両側には厚さ方向で延びるガイド溝が設けられていて、このガイド溝に、外側壁区分の内面に一体成形された、ガイドウェブの形のガイド部材２．６が係合する。支承挿入体４が完全に引き込まれた状態では、支承挿入体４の上面は高くても、バスバー収容部２．３の下面の平面までしか突出しない。支承挿入体４が外方に引き出された位置は、少なくとも１つの制限部材４．３によって制限されている。この制限部材４．３は、下方部分２の相応の個所に設けられた制限部材と協働する。
【００１８】
支持部分６は、両側に設けられた、係止ピンおよび係止突起の形の位置固定区分６．１で、外側壁区分の下方領域における内面に、相応の個所に設けられた、係止切欠の形の位置固定部材２．５に、ばね５を支持するために安定的かつ解離可能に係止されている。
【００１９】
スライダ３と、これとは別個に調節可能な支承挿入体４とによって、バスバー収容部２．３は種々様々な厚さおよび幅のバスバーに簡単に適合することができる。この場合、スライダ３および支承挿入体４の形の調節部材は紛失しないように下方部分２に保持されている。バスバーの挿入のためにまず最初にスライダ３をバスバーの厚さに応じて、引き込まれた、または引き出された位置にもたらし、次いでバスバーの下面をバスバー収容部２．３に導入し、この場合、一方の狭幅側の長手方向面を、スライダ３に面したバスバー収容部２．３の側面に当接させ、これにより、他方の狭幅側の長手方向面は自動的に、制限するための支承挿入体４の前面区分に当接する。支承挿入体４は必要とあらば相応に挿入体ガイド２．４内にばね力に抗して導入される。
【００２０】
バスバー収容部２．３、スライダ３、支承挿入体４が、流通しているバスバーの横断面の寸法、例えば５ｍｍの厚さと幅で段部において１５×５〜３０×１０ｍｍの寸法に合わせて適合されていると有利である。種々様々なバスバー収容部２．３には、この場合、互いに異なる横断面のバスバーを挿入することもできる。
【図面の簡単な説明】
【００２１】
【図１】本発明の実施例を示す斜視図である。
【図１】
2007527690.tif 000003
【国際調査報告】
2007527690.tif 000004
2007527690.tif 000005
2007527690.tif 000006
2007527690.tif 000007